(57)【要約】【課題】  発熱素子の逆起電圧による耐圧破壊などの恐れを防止して、回路の安全を図る。【解決手段】  定着ローラは、トナー画像が形成された媒体を加圧及び加熱してトナー画像の定着を行なう。１つ目の定着ヒータは、商用電源から電力の供給を受けて発熱し定着ローラを加熱する。キャパシタ充電器は、商用電源から電力の供給を受けてキャパシタＣＰ１を充電する。もう一つの定着ヒータＨＴ２は、キャパシタＣＰ１の充電電力の供給を受けて発熱し定着ローラを加熱する。リレー４０１は、キャパシタ充電器の充電電力を定着ヒータＨＴ２に放電して発熱させる機械式スイッチである。半導体スイッチＦＥＴも、キャパシタ充電器の充電電力を定着ヒータＨＴ２に放電して発熱させる半導体スイッチである。【選択図】    図４
2005221772.tif 000002
【特許請求の範囲】
【請求項１】
トナー画像が形成された媒体を加圧及び加熱して前記トナー画像の定着を行なう定着部材と、
商用電源から電力の供給を受けて発熱し前記定着部材を加熱する第１の発熱素子と、
キャパシタと、
商用電源から電力の供給を受けて前記キャパシタを充電する充電器と、
前記キャパシタの充電電力の供給を受けて発熱し前記定着部材を加熱する第２の発熱素子と、
前記充電器の充電電力を前記第２の発熱素子に放電して発熱させる機械式スイッチである第１のスイッチング素子と、
前記充電器の充電電力を前記第２の発熱素子に放電して発熱させる半導体スイッチである第２のスイッチング素子と、
を備えている定着装置。
【請求項２】
前記第１のスイッチング素子はリレーであり、
前記第２のスイッチング素子はＭＯＳＦＥＴである、
請求項１に記載の定着装置。
【請求項３】
前記第１のスイッチング素子及び前記第２のスイッチング素子を閉じているときは前記充電を禁止し、開いているときは前記充電を許可する第１の手段を、備えている請求項１〜３のいずれかの一に記載の定着装置。
【請求項４】
前記定着部材の温度を検出する温度センサと、
前記検出温度に基づいて前記第１の手段を実行するマイクロコンピュータと、
前記検出温度を所定の基準値と比較するコンパレータ回路と、
前記比較の結果前記検出温度が前記基準値を超えたときは前記第１のスイッチング素子及び前記第２のスイッチング素子を開く制御回路と、
を備えている請求項３に記載の定着装置。
【請求項５】
前記第１のスイッチング素子及び前記第２のスイッチング素子を開閉し、前記第１のスイッチング素子及び第２のスイッチング素子を閉じるときは第１のスイッチング素子を第２のスイッチング素子より先に閉じ、前記第１のスイッチング素子及び第２のスイッチング素子を開くときは前記第２のスイッチング素子を前記第２のスイッチング素子より先に開く第２の手段を、備えている請求項１〜４のいずれかの一に記載の定着装置。
【請求項６】
前記第２の手段は、第３のスイッチング素子の開閉に応じて前記第１のスイッチング素子及び前記第２のスイッチング素子を開閉する、請求項５に記載の定着装置。
【請求項７】
電子写真方式で媒体上に画像形成を行い、定着装置として請求項１〜５のいずれかの一に記載の定着装置を備えている、画像形成装置。
【請求項８】
電子写真方式で媒体上に画像形成を行い、
定着装置として請求項６に記載の定着装置を備え、
前記第３のスイッチング素子は、本装置の筐体に設けられた蓋体の開閉により開閉する、
請求項６に記載の画像形成装置。
【発明の詳細な説明】
【技術分野】
【０００１】
本発明は、電気二重層コンデンサなどのキャパシタの充電電力を補助電源として定着部材を加熱する定着装置、及び当該定着装置を備えた画像形成装置に関する。
【背景技術】
【０００２】
特許文献１〜３には、電子写真方式の画像形成装置に用いられる定着装置の発熱素子（定着ヒータ）について、商用電源からの電力供給に加えて、電気二重層コンデンサなどを使用した充電可能な補助電源を用いることによって、急速な立ち上がりを可能にすることで省電力効果を高めようとした技術が開示されている。
【０００３】
【特許文献１】特開２００２−１８４５５４公報
【特許文献２】特開２００３−２９５６５９公報
【特許文献３】特開２００３−２９７５２６公報
【発明の開示】
【発明が解決しようとする課題】
【０００４】
しかしながら、前記従来の技術では、発熱素子が冷却した状態でキャパシタから通電すると大きな突入電流が流れて、発熱素子のインダクタンス成分に起因して逆起電圧が発生し、耐圧破壊により回路を毀損する恐れがある。このような不具合に対処するには、キャパシタから発熱素子への放電のオン、オフを制御するスイッチング素子として半導体スイッチに機械式スイッチを併用することが望ましい。
【０００５】
本発明は、発熱素子の逆起電圧による耐圧破壊などの恐れを防止して、回路の安全を図ることである。
【課題を解決するための手段】
【０００６】
本発明は、トナー画像が形成された媒体を加圧及び加熱して前記トナー画像の定着を行なう定着部材と、商用電源から電力の供給を受けて発熱し前記定着部材を加熱する第１の発熱素子と、キャパシタと、商用電源から電力の供給を受けて前記キャパシタを充電する充電器と、前記キャパシタの充電電力の供給を受けて発熱し前記定着部材を加熱する第２の発熱素子と、前記充電器の充電電力を前記第２の発熱素子に放電して発熱させる機械式スイッチである第１のスイッチング素子と、前記充電器の充電電力を前記第２の発熱素子に放電して発熱させる半導体スイッチである第２のスイッチング素子と、を備えている定着装置である。
【発明の効果】
【０００７】
本発明によれば、キャパシタから第２の発熱素子への電力供給のオン、オフは半導体スイッチである第２のスイッチング素子のみならず機械式スイッチである第１のスイッチング素子も併用して行うことができるので、回路の安全性を向上させることができる。
【発明を実施するための最良の形態】
【０００８】
発明を実施するための最良の一形態について説明する。
【０００９】
図１は、本実施の形態のデジタル複写機１の縦断面図である。このデジタル複写機１は、本発明の画像形成装置を実施するもので、いわゆる複合機である。すなわち、このデジタル複写機１は、複写機能と、これ以外の機能、例えば、プリンタ機能、ファクシミリ機能とを備えていて、図示しない操作部のアプリケーション切り替えキーの操作により、複写機能、プリンタ機能、ファクシミリ機能を順次に切り替えて選択することが可能である。これにより、複写機能の選択時には複写モードとなり、プリンタ機能の選択時にはプリントモードとなり、ファクシミリモードの選択時にはファクシミリモードとなる。
【００１０】
次に、このデジタル複写機１の概略構成及び複写モードの際の動作について説明する。図１において、自動原稿送り装置（以下ＡＤＦという）１０１において、原稿台１０２に画像面を上にして置かれた原稿は、図示しない操作部上のスタートキーが押下されると、給紙ローラ１０３、給送ベルト１０４によってコンタクトガラスからなる原稿台１０２上の所定の位置に給送される。ＡＤＦ１０１は、一枚の原稿の給送完了毎に原稿枚数をカウントアップするカウント機能を有する。コンタクトガラス１０５上の原稿は、画像読取装置１０６によって画像情報が読み取られた後に、給送ベルト１０４、排送ローラ１０７によって排紙台１０８上に排出される。
【００１１】
原稿セット検知器１０９で原稿台１０２上に次の原稿が存在することが検知された場合には、同様に原稿台１０２上の一番下の原稿が給紙ローラ１０３、給送ベルト１０４によってコンタクトガラス１０５上の所定の位置に給送される。このコンタクトガラス１０５上の原稿は、画像読取装置１０６によって画像情報が読み取られた後に、給送ベルト１０４、排送ローラ１０７によって排紙台１０８上に排出される。ここに、給送ローラ３、給送ベルト４及び排送ローラ７は搬送モータによって駆動される。
【００１２】
第１給紙装置１１０、第２給紙装置１１１及び第３給紙装置１１２は、それぞれ選択されたときに、その積載された転写紙を給紙し、この転写紙は縦搬送ユニット１１６によって感光体１１７に当接する位置まで搬送される。感光体１１７は、例えば感光体ドラムが用いられていて、図示しないメインモータにより回転駆動される。
【００１３】
画像読取装置１０６で原稿から読み取られた画像データは、図示しない画像処理装置で所定の画像処理が施された後、書き込みユニット１１８によって光情報に変換され、感光体ドラム１１７には図示しない帯電器により一様に帯電された後に書き込みユニット１１８からの光情報で露光されて静電潜像が形成される。この感光体ドラム１１７上の静電潜像は、現像装置１１９により現像されてトナー像となる。書き込みユニット１１８、感光体ドラム１１７、現像装置１１９や、その他の図示しない感光体ドラム１１７回りの周知の装置などにより、電子写真方式で用紙などの媒体に画像形成を行なうプリンタエンジンを構成している。
【００１４】
搬送ベルト１２０は、用紙搬送の手段及び転写の手段を兼ねていて電源から転写バイアスが印加され、縦搬送ユニット１１６からの転写紙を感光体ドラム１１７と等速で搬送しながら感光体ドラム１１７上のトナー像を転写紙に転写する。この転写紙は、定着装置１２１によりトナー像が定着され、排紙ユニット１２２により排紙トレイ１２３に排出される。感光体ドラム１１７は、トナー像転写後に図示しないクリーニング装置により残存トナーのクリーニングがなされる。
【００１５】
以上の動作は、通常のモードで用紙の片面に画像を複写するときの動作であるが、両面モードで転写紙の両面に画像を複写する場合には、各給紙トレイ１１３〜１１５のいずれかより給紙されて表面に上述のように画像が形成された転写紙は、排紙ユニット１２２により排紙トレイ１２３側ではなく、両面入紙搬送路１２４側に切り替えられ、反転ユニット１２５によりスイッチバックされて表裏が反転され、両面搬送ユニット１２６へ搬送される。
【００１６】
この両面搬送ユニット１２６へ搬送された転写紙は、両面搬送ユニット１２６により縦搬送ユニット１１６へ搬送され、縦搬送ユニット１１６により感光体ドラム１１７に当接する位置まで搬送され、感光体ドラム１１７上に上述と同様に形成されたトナー像が裏面に転写されて、定着装置１２１でトナー像が定着されることにより両面コピーとなる。この両面コピーは排紙ユニット１２２により排紙トレイ１２３に排出される。
【００１７】
また、転写紙を反転して排出する場合には、反転ユニット１２５によりスイッチバックされて表裏が反転された転写紙は、両面搬送ユニット１２６に搬送されずに反転排紙搬送路１２７を経て排紙ユニット１２２により排紙トレイ１２３に排出される。
【００１８】
プリントモードでは、前述の画像処理装置からの画像データの代りに、外部からの画像データが書き込みユニット１１８に入力されて、前述と同様に転写紙上に画像が形成される。
【００１９】
さらに、ファクシミリモードでは、画像読取装置１０６からの画像データが図示しないファクシミリ送受信部により相手に送信され、相手からの画像データがファクシミリ送受信部で受信されて前述の画像処理装置からの画像データの代りに書き込みユニット１１８に入力されることにより、前述と同様に転写紙上に画像が形成される。
【００２０】
また、このデジタル複写機１には、図示しない大量用紙供給装置（以下、ＬＣＴという）と、及びソート、穴あけ、ステイプルなどを行なうフィニッシャーと、原稿読み取りのためのモード、複写倍率の設定、給紙段の設定、フィニッシャー１２で後処理の設定、オペレータに対する表示などを行なう操作部とを備えている。
【００２１】
次に、定着装置１２１の構成について図２を参照して説明する。図２に示すように、定着装置１２１は、本発明の発熱装置、定着装置を実施するもので、被加熱物である定着ローラ３０１に、シリコンゴム等の弾性部材からなる加圧ローラ３０２が、図示しない加圧手段により一定の加圧力で押し当てられている。定着部材と加圧部材は、一般的にローラ状である場合が多いが、例えば、いずれか一方又は両方を無端ベルト状に構成するようにしてもよい。この定着装置１２１には、ヒータＨＴ１，ＨＴ２が任意の位置に設けられる。例えば、このヒータＨＴ２，ＨＴ１は、定着ローラ３０１の内部に配置されていて、被加熱物である定着ローラ３０１を内側から加熱する。
【００２２】
定着ローラ３０１及び加圧ローラ３０２は、図示しない駆動機構により回転駆動される。温度センサ（サーミスタなど）ＴＨ１１は、定着ローラ３０１の表面に当接され、定着ローラ３０１の表面温度（定着温度）を検出する。トナー３０６を担持した転写紙等の媒体であるシート３０７は、定着ローラ３０１と加圧ローラ３０２とのニップ部を通過する際に、定着ローラ３０１と加圧ローラ３０２による加熱及び加圧でトナー画像３０６が定着される。
【００２３】
第１の発熱部材である定着ヒータＨＴ１は、定着ローラ３０１の基準となる所定の目標温度Ｔｔに達していないときにＯＮにされて、定着ローラ３０１を加熱する主たるヒータ（主ヒータ）である。第２の発熱部材である定着ヒータＨＴ２は、本複写機１の主電源投入の時や、後述の省エネモードから復帰してコピー可能となるまでの立ち上げ時等、すなわち、定着装置１２１のウォームアップ時にＯＮにされて、定着ローラ３０１を加熱する補助的なヒータ（補助ヒータ）である。
【００２４】
図３は、定着装置１２１を主とした本複写機１の電源制御系の構成を示す図である。図３に示す電源制御系は、ＡＣ電源（商用交流電源）ＰＳの供給のＯＮ／ＯＦＦを行なう主電源ＳＷ２０１と、マイクロコンピュータを備え、電源回路２００の各部その他を制御する制御装置となる制御部２０２と、定着ヒータＨＴ１の補助電源である蓄電器となるキャパシタＣＰ１と、このキャパシタＣＰ１を充電するための充電器となるキャパシタ充電器２０３と、本複写機１のＤＣ電源を生成するＤＣ電源生成回路２０４と、ＡＣ定着ヒータＨＴ２にＡＣ電力を供給するＡＣヒータ駆動回路２０５と、ＡＣ電源から入力される入力電流を検出する入力電流検出回路２０６と、インターロックスイッチ２０７と、キャパシタＣＰ１の放電を行って、定着ヒータＨＴ１にＤＣ電力を供給するキャパシタ充放電回路２０８と、を備えている。
【００２５】
ＡＣ電源ＰＳは、主電源ＳＷ２０１および入力電流検出回路２０６を介して、ＡＣヒータ駆動回路２０５と、ＤＣ電源生成回路２０４と、およびキャパシタ充電器２０３にＡＣ電力を供給する。
【００２６】
制御部２０２は、主に電源回路２００の各部を制御するものであり、キャパシタ充電器２０３、ＡＣヒータ駆動回路２０５、およびキャパシタ充放電回路２０８の動作を制御する。具体的には、制御部２０２は、キャパシタ充電器２０３に制御信号Ｓ１１を送出して、キャパシタ充電器２０３によるキャパシタＣＰ１の充電動作を制御する。また、制御部２０２は、キャパシタ充放電回路２０８に、制御信号Ｓ１３，Ｓ１４を送出して、キャパシタ充放電回路２０８による定着ヒータＨＴ１のＯＮ／ＯＦＦ動作を制御する。また、制御部２０２は、制御信号Ｓ１８，Ｓ１９をＡＣヒータ駆動回路２０５に送出して、ＡＣヒータ駆動回路２０５による定着ヒータＨＴ２のＯＮ／ＯＦＦ動作を制御する。
【００２７】
入力電流検出回路２０６は、主電源ＳＷ２０１と、ＡＣヒータ駆動回路２０５、ＤＣ電源生成回路２０４、およびキャパシタ充電器２０３間に設けられており、主電源ＳＷ２０１を介して入力されるＡＣ電源の入力電流を検出して、検出電流を制御部２０２に出力する。この入力電流は、ＡＣヒータ駆動回路２０５、ＤＣ電源生成回路２０４、キャパシタ充電器２０３、および画像形成装置の動作状態に応じて変動する。
【００２８】
ＤＣ電源生成回路２０４は、主電源ＳＷ２０１を介して入力されるＡＣ電源に基づいて、画像形成装置内部で主に制御系で使用される電源Ｖｃｃと、主に駆動系、中高圧電源に使用される電源Ｖａａを生成して、各部に出力する。
【００２９】
インターロックスイッチ２０７は、図示しない本複写機１の筐体に設けられた蓋体の開閉と連動してＯＮ／ＯＦＦするスイッチであり、詳細な説明は後述する。
【００３０】
キャパシタ充電器２０３は、キャパシタＣＰ１と接続されており、制御部２０２から入力される制御信号に基づいて、キャパシタＣＰ１の充電を行なう。
【００３１】
キャパシタＣＰ１は、電気二重層コンデンサ等の大容量のキャパシタで構成されている。キャパシタＣＰ１は、キャパシタ充電器２０３およびキャパシタ充放電回路２０８に接続されており、キャパシタ充電器２０３で充電が行われ、その充電された電力は、キャパシタ充放電回路２０８のＯＮ／ＯＦＦ制御により定着ヒータＨＴ１に供給される。
【００３２】
キャパシタ充放電回路２０８は、制御部２０２から入力される制御信号に応じて、キャパシタＣＰ１に蓄積された電力を放電させて、定着ヒータＨＴ１をＯＮ／ＯＦＦさせる。
【００３３】
上記サーミスタＴＨ１１は、定着ローラ１５１の近傍に設けられており、定着ローラ１５１の表面温度に応じた検出信号Ｓ１６を制御部２０２に出力する。サーミスタＴＨ１１は、その抵抗値が温度により変化するため、制御部２０２は、その抵抗値の温度変化を利用して、検出信号から定着ローラ１５１の表面温度を検出する。
【００３４】
次に、キャパシタ充放電回路２０８、制御部２０２の構成と動作について説明する。
【００３５】
まず、キャパシタ充放電回路２０８の回路構成について説明する。図４に示すように、キャパシタ充放電回路２０８は、第１のスイッチング素子となる機械式スイッチ、この例ではリレー４０１と、第２のスイッチング素子となる半導体スイッチ、この例ではＭＯＳＦＥＴで構成される半導体スイッチＦＥＴを備えている。このリレー４０１、半導体スイッチＦＥＴは、いずれも、そのオン、オフによりキャパシタＣＰ１の充電電力をヒータＨＴ２に通電し、その通電を停止するスイッチである。このリレー４０１、半導体スイッチＦＥＴ、キャパシタＣＰ１、ヒータＨＴ２は直列に接続されている。
【００３６】
このように、キャパシタＣＰ１からヒータＨＴ２への電力供給のオン、オフは半導体スイッチＦＥＴのみならずリレー４０１も併用して行うことができるので、回路の安全性を向上させることができる。
【００３７】
図５に示すように、リレー４０１、半導体スイッチＦＥＴは、それぞれドライバ回路４０２、４０３によって駆動される。このドライバ回路４０２、４０３は、制御部２０２のマイクロコンピュータ４１１により制御される。インターロックスイッチ２０７は、複写機１の筐体に設けられた図示しない蓋体の開閉により開閉するスイッチである。この例では、蓋体が閉じているとインターロックスイッチ２０７も閉じていて、この例で２４Ｖの電源電圧を抵抗Ｒ１，Ｒ２で分圧して、その分圧した電圧をＨレベル信号としてマイクロコンピュータ４１１に入力する。そして、蓋体が開くとインターロックスイッチ２０７も開いて、マイクロコンピュータ４１１への入力はＬレベル信号となる。
【００３８】
次に、このような回路構成で、マイクロコンピュータ４１１が実行する制御処理について、図６のタイミングチャートを参照して説明する。
【００３９】
図６は、インターロックスイッチ２０７の開閉に基づいてマイクロコンピュータ４１１のＩ／Ｏポートに入力する信号（図６（ａ））、リレー４０１の動作（図６（ｂ））、半導体スイッチＦＥＴの動作（図６（ｃ））のタイミングチャートである。
【００４０】
第３のスイッチング素子となるインターロックスイッチ２０７の開閉に応じてＩ／Ｏポートへの入力信号はＨレベルとＬレベルの間で変化する。（図６（ａ））。マイクロコンピュータ４１１は、その実行する処理により第１の手段を実現する。すなわち、半導体スイッチＦＥＴをオフしてからリレー４０１オフする。インターロックスイッチ２０７が開いた場合には、マイクロコンピュータ４１１はＩ／Ｏポートの状態（Ｈレベル、Ｌレベル）を読み込んで、インターロックスイッチ２０７が開いたことを検出して、最初にＰ１ポートをオフ（半導体スイッチＦＥＴをオフ）してからＰ０ポートをオフ（リレー４０１をオフ）する。但し、このソフトウェアによる動作よりもインターロックスイッチ２０７により電源Ｖａａが遮断され、図５のドライバ４０２，４０３用の電源Ｖａａがオフする方が早いために、ソフトウェアによる制御動作よりも先にドライバ４０２，４０３用の電源Ｖａａがオフする。そして、半導体スッチＦＥＴとリレー４０１用のインタ−ロック電源Ｖａａがオフした場合、半導体スイッチＦＥＴの方がオフする速度が速いために、結果的には図６のように半導体スイッチＦＥＴの方が先にオフして、機械式のスイッチであるリレー４０１は遅れてオフするので接点溶着、接点不良を防ぐことができる（但し、超高速のマイクロコンピュータ４１１を使用し、インターロック電源Ｖａａの立下りが遅い場合には、ソフトウェアによる制御動作を先にすることもできる。
【００４１】
よって、図６のＩ／Ｏポートの入力信号がＨレベルになった時点からのディレイタイムを見ると、ディレイＴ１とディレイＴ２の差は、機械式と半導体のスイッチのオフ時の速度差によるものであるが、オン時のディレイＴ３とＴ４の差は機械式と半導体のスイッチの速度差に加えて、ソフトウェアで意識的にディレイを加えている。
【００４２】
このように、複写機１の筐体の蓋体の開閉をインターロックスイッチ２０７で検出し、このインターロックスイッチ２０７の開閉により蓋体が開かれたと判断したときはキャパシタＣＰ１からヒータＨＴ２への通電を停止するので、安全性を向上させることができる。
【００４３】
また、図５の構成に加えて図７の構成を実施してもよい。図７の例では、図５の構成にコンパレータ回路４２１、アンド回路４２２，４２３を追加している（但し、図７において、インターロックスイッチ２０７、抵抗Ｒ１，Ｒ２は図示を省略している）。
【００４４】
コンパレータ回路４２１は、温度センサＴＨ１１の検出値（温度が高いほどサーミスタである温度センサＴＨ１１の抵抗値は下がる）を所定の基準値（上限値）Ｖrefと比較し、温度センサＴＨ１１で検出した定着ローラ３０１の温度が上限値を超える（温度センサＴＨ１１の検出値が上限値Ｖrefを下回る）ときはＨレベル信号を出力する。そして、アンド回路４２２，４２３は、それぞれ、Ｐ０端子の出力とコンパレータ回路４２１の出力信号、Ｐ１端子の出力とコンパレータ回路４２１の出力信号のアンドをとり、その出力をそれぞれドライバ回路４０２、４０３に出力する。
【００４５】
一方、マイクロコンピュータ４１１は、温度センサＴＨ１１の検出温度を所定の基準値（前述の基準値より幾分低く設定することができる）と比較し、検出温度が当該基準値を超えたときは、Ｐ１端子の出力をＨレベルにして、まず、半導体スイッチＦＥＴをオフして、次に、Ｐ０端子の出力をＨレベルにして、リレー４０１をオフにする。これにより、アンド回路４２２，４２３の出力がノンアクティブとなり、ドライバ回路４０２，４０３は停止して、定着ヒータＨＴ２の通電はオフになるので、定着ローラ３０１の温度が高くなりすぎるときには、強制的に定着ヒータＨＴ２の通電はオフにして安全を図ることができる。
【００４６】
しかしながら、マイクロコンピュータ４１１が暴走する事故が発生したときは、このような制御が実行されないが、この場合は、温度センサＴＨ１１の検出温度が高くなり上限値Ｖrefを下回ったときにコンパレータ回路４２１からアンド回路４２２，４２３にＨレベル信号が出力されて、アンド回路４２２，４２３はノンアクティブとなり、ドライバ回路４０２，４０３は停止するので、強制的に定着ヒータＨＴ２の通電はオフにして、このような場合でも安全を図ることができる。すなわち、コンパレータ回路４２１、アンド回路４２２，４２３は、制御回路を実現するものである。
【００４７】
さらに、図５の構成に加えて図８の構成を実施してもよい。図８の例では、図５の構成において、図５の構成にアンド回路４２２，４２３、インバータ回路４２４を追加している（但し、図８において、インターロックスイッチ２０７、抵抗Ｒ１，Ｒ２は図示を省略している）。
【００４８】
図８において、マイクロコンピュータ４１１は、キャパシタ充電器２０３によるキャパシタＣＰ１の充電動作の制御を行なう制御信号Ｐ２を出力し、この例で、キャパシタ充電器２０３はＨアクティブであり、制御信号Ｐ２がＨレベルのときはキャパシタＣＰ１の充電を行い、ＬレベルのときはキャパシタＣＰ１の充電を停止する。
【００４９】
インバータ回路４２４は制御信号Ｐ２の反転信号を出力する。アンド回路４２２は制御信号Ｐ０とインバータ回路４２４の出力信号のアンドをとり、アンド回路４２３は制御信号Ｐ１とインバータ回路４２４の出力信号のアンドをとる。
【００５０】
このような構成により、制御信号Ｐ２がＨレベルのときは、キャパシタＣＰ１の充電を行なうときは、リレー４０１、半導体スイッチＦＥＴはオフの状態を維持し、リレー４０１、半導体スイッチＦＥＴが閉じているときは、キャパシタＣＰ１の充電を行なわないので、キャパシタＣＰ１に充電と放電を同時に行なうことを禁止し、リレー４０１、半導体スイッチＦＥＴが開いているときは前記充電を許可する安全性を維持することができる。すなわち、インバータ回路４２４、アンド回路４２２，４２３で、リレー４０１、半導体スイッチＦＥＴのアクティブ状態と、キャパシタ充電器２０３のアクティブ状態とが重ならないように処理することで、第１の手段を実現している。
【図面の簡単な説明】
【００５１】
【図１】本実施の形態のデジタル複写機の縦断面図である。
【図２】定着装置の説明図である。
【図３】定着装置を主としたデジタル複写機の電源制御系の回路図である。
【図４】キャパシタ充放電回路の放電を行なうための回路構成の回路図である。
【図５】リレー、半導体スイッチの制御系の回路図である。
【図６】図５の回路の動作を説明するタイミングチャートである。
【図７】リレー、半導体スイッチの制御系の他の構成の回路図である。
【図８】リレー、半導体スイッチの制御系の他の構成の回路図である。
【符号の説明】
【００５２】
ＰＳ  商用電源
ＨＴ１  第１の発熱素子
ＨＴ２  第２の発熱素子
ＣＰ１  キャパシタ
ＦＥＴ  第２のスイッチング素子、ＭＯＳＦＥＴ
ＴＨ１１  温度センサ
１  画像形成装置
１２１  定着装置
２０３  充電器
３０１  定着部材
４０１  第１のスイッチング素子、リレー
４０２，４０３  制御回路、第１の手段
４１１  マイクロコンピュータ
４２１  コンパレータ回路、制御回路
【図１】
2005221772.tif 000003
【図２】
2005221772.tif 000004
【図３】
2005221772.tif 000005
【図４】
2005221772.tif 000006
【図５】
2005221772.tif 000007
【図６】
2005221772.tif 000008
【図７】
2005221772.tif 000009
【図８】
2005221772.tif 000010